(57)【要約】【課題】乳幼児や幼児の興味を引き、吐水等の操作を行って遊ぶように促す事により、指先や手の随意運動による操作機能の発達を促す事が出来る水遊び玩具を提供することを課題とする。【解決手段】乳幼児が把持可能で水面に浮遊可能とされた玩具において、前記玩具本体の側部対向位置で玩具本体から突出する少なくとも二つ以上であって相互に近接方向に変位可能とされる釦部を有し、釦部の一つは、ポンプ部と連結されて吐水を操作する吐水釦とされ、釦部の他の一つは、玩具本体における第一動作部に連結されて第一動作部の動きを操作する動作釦として構成した。【選択図】図１
2006006374.tif 000002
【特許請求の範囲】
【請求項１】
乳幼児が把持可能で水面に浮遊可能とされた玩具において、前記玩具本体の対向位置で玩具本体から突出する少なくとも二つ以上であって相互に近接方向に変位可能とされる釦部を有し、釦部の一つは、ポンプ部と連結されて吐水を操作する吐水釦とされ、釦部の他の一つは、玩具本体における第一動作部に連結されて第一動作部の動きを操作する動作釦とされており、前記各釦を近接する方向に変位させた際に、吐水と第一動作部の動作とが各々行われ、操作を中止する事で前記各釦が変位状態から突出状態に戻ることを特徴とした水遊び玩具。
【請求項２】
請求項１において、前記吐水釦又は動作釦を押すことで、前記第一動作部とは異なる第二動作部の動作が可能とされており、前記第二動作部の動作は、第一動作部の動作よりも小さな動きとされていることを特徴とした水遊び玩具。
【請求項３】
請求項１又は２において、前記動作釦により動作する第一動作部は、ポンプ部に連結された吐水口を有することを特徴とした水遊び玩具。
【請求項４】
請求項１乃至３のいずれか１項において、前記玩具本体対向位置に設けられる吐水釦と動作釦の頂点間の距離が５０mm〜９０mmであり、各釦の動作量が３mm〜１０mmとしたことにより、乳幼児用玩具としたことを特徴とした水遊び玩具。
【請求項５】
請求項１乃至４のいずれか１項において、水面に前記水遊び玩具を配置した状態で、吐水釦と動作釦が吃水線上に配置されることを特徴とした水遊び玩具。
【発明の詳細な説明】
【技術分野】
【０００１】
おおよそ生後６ヶ月乃至３歳程度になるまでの乳幼児の発育を促す水遊び玩具に関するものである。
【背景技術】
【０００２】
従来、お風呂やプール等で乳幼児が使用する水遊び用玩具として、浮遊機能やジョウロ機能、水鉄砲機能がついた玩具が多数発売されている。特に、実開昭６１−１５６９９６では、「吐出構造に特徴って、浮遊させても遊ぶ事ができる水鉄砲玩具」が提案されており、その他にも実開昭６３−０９０７９４や実開昭５９−１６７５９７等でも、水を吐出させて遊ぶことのできる構造に関する提案が行われている。
【０００３】
しかし、乳幼児の興味を引き、吐水等の操作を促す事で、最終的には、乳幼児の手指の操作機能の発達を促す事を想定した商品は存在していなかった。
【特許文献１】実開昭６１−１５６９９６号公報
【特許文献２】実開昭６３−０９０７９４号公報
【特許文献３】実開昭５９−１６７５９７号公報
【発明の開示】
【発明が解決しようとする課題】
【０００４】
そこで、本発明は、上記従来技術の問題点に斯かる実情に鑑みなされたもので、乳幼児や幼児の興味を引き、吐水等の操作を行って遊ぶように促す事により、指先や手の随意運動による操作機能の発達を促す事が出来る水遊び玩具を提供することを課題とする。
【課題を解決するための手段】
【０００５】
請求項１記載の発明は、乳幼児に把持可能とされ且つ水面に浮遊可能とされた玩具において、前記玩具本体の対向位置で玩具本体から突出する少なくとも二つ以上であって相互に近接方向に変位可能とされる釦部を有し、釦部の一つは、ポンプ部と連結されて吐水を操作する吐水釦とされ、釦部の他の一つは、玩具本体における第一動作部に連結されて第一動作部の動きを操作する動作釦とされており、前記各釦を近接する方向に変位させた際に、吐水と第一動作部の動作とが各々行われ、操作を中止する事で前記各釦が変位状態から突出状態に戻ることを特徴とする。
【０００６】
請求項２記載の発明は、請求項１において、前記吐水釦又は動作釦を押すことで、前記第一動作部とは異なる第二動作部の動作が可能とされており、前記第二動作部の動作は、第一動作部の動作よりも小さな動きとされていることを特徴とする。
【０００７】
請求項３記載の発明は、請求項１又は２において、前記動作釦により動作する第一動作部は、ポンプ部に連結された吐水口を有することを特徴とする。
【０００８】
請求項４記載の発明は、請求項１乃至３のいずれか１項において、前記玩具本体の対向位置に設けられる吐水釦と動作釦の頂点間の距離が５０mm〜９０mmであり、各釦の動作量が３mm〜１０mmとしたことにより、乳幼児用玩具としたことを特徴とする。
【０００９】
請求項５記載の発明は、請求項１乃至４のいずれか１項において、水面に前記水遊び玩具を配置した状態で、吐水釦と動作釦が吃水線上に配置されることを特徴とする。
【発明の効果】
【００１０】
請求項１記載の発明によれば、玩具本体の対向する位置で近接方向に移動するよう配置された一つの釦である吐水釦に連動するポンプによる吐水動作と、他の釦である動作釦による第一動作部の動作とが同時に行われる為、強く乳幼児の興味を引くことが出来、積極的に対向位置に配置された２つの釦の操作を促す事ができ、更に操作を中止すると元の状態に戻る。つまり、使用を開始する時期である６ヶ月から１才程度の乳幼児は元々随意運動として手指を操作する事が困難である。そのような時期においては母親等の介助者が釦を操作しながら浮遊玩具として遊ぶ事になるが、発達に伴って手指の操作が身に付きだすと、乳幼児が水遊び玩具を片手で操作する場合には、「親指で一方の釦を押しながら、他の指で他方の釦を押す」という動きが必要となり、水遊び玩具を動かないよう保持する事や、釦のストロークを調整しながらバランスよく押す事等の手や指による細かな操作を繰り返して学習することができる。さらに、その前段階であって、乳幼児の手・指の発達段階が低い場合には、指による操作ではなく、手による動きとして両手を協調させながら、水上に不安定な状態で浮かぶ水遊び玩具を保持して、一方の手で一方の釦を押しつつ他方の手で他方の釦を押すという働きが必要となり、両手で操作することを学習することもできる等、発達状態に応じて手による異なる動きを行うよう促す事ができる。
【００１１】
請求項２記載の発明によれば、請求項１の効果に加え、水遊び玩具の動作を増やすことにより、更に強く乳幼児の興味を引く事ができると共に、１つの釦操作によって、より複雑な吐水動作や機構的動作を行うことを学習することができる。しかも、第二動作部の動作は、第一動作部の動作よりも小さくされている為、釦操作における重さに影響がでにくく、動作が増えた事に伴う乳幼児が釦を押す操作への影響を抑えている。
【００１２】
請求項３記載の発明によれば、請求項１又は２の効果に加え、さらに動作部に吐水口を設けることによって、動作釦による動作を行いつつ、吐水釦による吐水を行う為、強く乳幼児の興味を引いて操作を促すことが出来ると共に、噴水の様に吐水状態を変化させることが出来る。
【００１３】
請求項４記載の発明によれば、請求項１乃至３のいずれか１項の効果に加え、吐水釦と動作釦の頂点間の距離を制限することによって、乳幼児にも把持することが可能な大きさとしており、その状態から乳幼児が更に指先の動きを中心とした操作として、押圧するにあたって適切に押した事を認識しつつ、操作可能なように動作量を制限した。
【００１４】
請求項５の発明によれば、請求項１乃至４のいずれか１項の効果に加え、手の動きに追随して揺れてしまう水面で、吃水線上に配置された吐水釦と動作釦を操作するために、乳幼児に対して、手の動きに注意しながら導く事や、操作する手とは逆側の手を使用して動きを抑える事等を身に付けるよう促す事ができる。
【発明を実施するための最良の形態】
【００１５】
乳幼児が把持可能な大きさとされ、且つ水面に浮遊可能とされる玩具において、前記玩具本体の対向位置で玩具本体から突出する少なくとも二つ以上であって相互に近接方向に変位可能とされる釦部を有し、釦部の一つは、ポンプ部と連結されて吐水を操作する吐水釦とされ、釦部の他の一つは、玩具本体における第一動作部に連結されて第一動作部の動きを操作する動作釦とされて操作を中止する事で各釦が変位状態から突出状態に戻り、前記第一動作部とは、異なる第二動作部を設け、前記吐水釦又は動作釦を押すことで吐水口から吐水させると共に、前記第一動作部の動きとは異なる動きである第二動作部の動作を可能とし、前記動作釦により動作する第一動作部には、ポンプ部に連結された吐水口を設けるように構成する。また、玩具本体対向位置に設けられる吐水釦と動作釦の釦の頂点間の距離を５０mm〜９０mmとし、各釦の動作量を３mm〜１０mmとする。
【実施例】
【００１６】
図１を用いて、水遊び玩具の外観の説明を行う。水遊び玩具の外観は、鯨を模しており、水遊び玩具の本体下方に設けられた鯨は、親鯨１０で、水遊び玩具の本体上方、即ち親鯨１０背中面に子鯨１１が設けられており、親鯨１０と子鯨１１で、親子の鯨を模した形に形成されている。また、親鯨１０の前方には、鯨の目を表す為の２つの孔が設けられている。この実施の例の外観では、遊技者である乳幼児に親子の関係を認識させることもできるようになっている。また、該水遊び玩具の外観として、実施の例のように、動物の親子を模した形状でも構わないが、動物単体を模した外観にしても構わない。動物を模して形成することによって、動作させることによって動物の動きや、動物の行動（実施の例では、潮を吹くなど）の学習を行うことも可能となっており、乳幼児に対して強く興味を引くことができる。このほかに、水遊びの玩具の外観として、例えば、イカのお腹と背中に吐水釦１８と動作釦１９を設け、足を動かしながら口から水を出すよう構成する等、釦は対向位置にあれば、前後方向や上下方向等に配置されるよう構成してもよく、また、消防艇などの船を模した場合では、消防艇の側面部に吐水釦１８及び動作釦１９の釦部を設け放水砲を回転させつつ放水するように設ける場合や、キャビン又は放水砲を上方に伸ばすように設けても構わない。このように船や潜水艦等の乗り物及び動物などの他にもキャラクターなどを模しても構わない。
【００１７】
水遊び玩具の本体側部に対向させて突出するよう設けられた釦部である吐水釦１８と動作釦１９をそれぞれ押圧すると、吐水釦１８の操作によって、ポンプ２０が動作を行い吐水口１６から、水が吐水されるようになっている。また吐水釦１８が突出状態に復帰する際に、給水口１５よりポンプ２０に水を吸入する。また、動作釦１９の操作によって、水遊び玩具の親鯨１０の目が左右に揺動するように設けられている。尚、この実施の例は、吐水釦１８によりポンプ部を、動作釦１９により第一動作部を動作させるものであり、動作部を一つだけ設けた例である。
【００１８】
図２は本発明の第一実施例である水遊び玩具の上面から見た断面図である。図３は、水遊び玩具の第一動作部の動作にあたる親鯨１０の目玉の動きを示した図である。また、図４は、水遊び玩具の横から見た断面図であり、水遊び玩具の後方に設けられた注水口１７ａや側方に設けられた１７ｂから水を注水した状態を示した図である。図５は、水遊び玩具の前方からの断面図であり、玩具内の吐水における水の動きを示す図である。
【００１９】
水遊び玩具には、係合溝１４・注水口１７ａ，１７ｂ・吐水釦１８・動作釦１９と給水口１５・吐水口１６を含むポンプ部及び第一動作部となる目玉板２２・目玉板ヒンジ２６等とが設けられている。係合溝１４は、水遊び玩具の前方に円弧状に設けられた目玉板２２と係合するよう目玉板２２に沿って設けられた溝である。また、注水口１７ａ，１７ｂは、水遊び玩具の後方及び側方に設けられ、水遊び玩具内に水を注水して安定的に浮遊させる為に設けられた穴であり、図４に示すように該各注水口１７から水遊び玩具内に水を注水することによって、バランス良く水上で姿勢を保持すると共に、水遊び玩具内に残された空気が浮力となり水遊び玩具のバランスを保つ働きをする。なお、浮力機能を発現する為に、水遊び玩具内に残された空気ではなく、水遊び玩具内上方に図示しない発泡体等を配置して、より確実に浮力を確保しても良い。また、各注水口１７によって、水面（吃水線）に各釦１８，１９が配置されるよう設計されている。
【００２０】
図２及び図５を用いて吐水釦の説明を行う。吐水釦１８は、動作釦１９と動作軸を一致させて動作釦１９と対向する位置に設けられ、吐水釦１８と動作釦１９は、水遊び玩具本体両側で各々玩具本体からに突出して設けられ本体側に押し込めるように動作可能としている。また、吐水釦１８の動作量（ストローク）は、５〜７mmに設けられている。該吐水釦１８を押圧すると、ポンプ部を動作させ、水遊び玩具の吐水口１６から水が吐水するように設けられている。
【００２１】
即ちこのポンプ部は、ポンプ２０・給水口１５・吐水口１６・ポンプ部用復帰バネによって構成されている。ポンプ２０は、吐水釦１８が押圧されることによって、給水口１５より給水された水を、吐水口１６から外部へ送り出すようになっている。また、図示しないポンプ部用復帰バネは、吐水釦１８が押圧された後、操作を止めると該吐水釦１８を復帰させる為の圧縮バネとして設けている。また、給水口１５は、水遊び玩具の底面に設けられ、ポンプ２０と連結し、ポンプ２０が動作することによって、該給水口１５から水が給水される口である。なお、給水口１５を水遊び玩具の外方に露出するのではなく、水遊び玩具内に給った水を給水するよう構成してもよい。吐水口１６は、水遊び玩具の子鯨１１の上面に設けられ、ポンプ２０と連結し、ポンプ２０が動作することによって、ポンプ２０より送り出された水を吐水する口となっている。
【００２２】
吐水釦１８を押圧時の動作の説明を行う。吐水釦１８が押圧されると、ポンプ２０に貯水されていた水を吐水口１６に送り、吐水用復帰バネ２４の力によって、吐水釦１８が復帰する際に、ポンプ２０内に水を貯水する為に、給水口１５から、水を給水するようになっている。ポンプ２０内部を図示しないが、２つの弁を用いて、吐水と給水を行うようになっている。
【００２３】
図２及び図３を用いて動作釦の説明を行う。動作釦１９は、該吐水釦１８と同様に、水遊び玩具の本体側面から突出して設けられ、本体側即ち吐水釦１８の近接方向へ動作可能なようになっている。動作釦１９の動作量（ストローク）も吐水釦１８と同様に、５〜７mmに設けられている。該動作釦１９を押圧すると、第一動作部とした目玉板２２が移動することとなり、親鯨１０前方に設けられた２つの孔を介して目玉板２２外周面に表示された鯨の目が、動くように見える。
【００２４】
この第一動作部は、目玉板２２・目玉板ヒンジ２６・動作部用復帰バネ２３で構成されている。目玉板２２は、円弧状に設けられた板で、図１に示すように目玉板２２の外周面に目玉２２ａが表示されている。また目玉板２２の内周面に目玉板ヒンジ２６と関節状に係合する係合部が設けられている。水遊び玩具には、該目玉板２２が左右方向へ滑動可能なような目玉板２２と略同等の円弧状の係合溝１４が設けられ、該目玉板２２は、目玉板ヒンジ２６の動きに合わせ左右方向に滑動するようになっている。目玉板２２ヒンジは、水遊び玩具に回動自在に軸止され、目玉板ヒンジ２６の一端は、目玉板２２の係合部と係合し、目玉板ヒンジ２６の他端は、動作釦１９と関節状に係合するように設けられている。また、動作部用復帰バネ２３は、動作釦１９が押圧された後に、該動作釦１９を復帰させる為の圧縮バネである。
【００２５】
動作釦１９を押圧時の動作の説明を行う。動作釦１９が押圧されると、動作釦１９の内面に設けられて関節状に目玉板ヒンジ２６と係合された凸部が、目玉板ヒンジ２６一端を押圧するようになっている。該目玉板ヒンジ２６の一端が押圧されると、水遊び玩具に軸止されている軸を中心に、該目玉板ヒンジ２６が回転を行う。該目玉板ヒンジ２６が回転すると、該目玉板ヒンジ２６の他端に関節状に係合している目玉板２２が引っ張られ、目玉板２２が、係合溝１４内を滑動するようになっている。このように動作することによって、水遊び玩具の親鯨１０の目が左右どちらかに移動するようになる（図１においては右側に移動する）。また、該動作釦用復帰バネ２３の作用によって、再び動作釦１９と共に親鯨１０の目が復帰位置へと戻るように設けられている。
【００２６】
吐水釦１８と動作釦１９の設けられた位置と、その動作量について説明する。吐水釦１８及び動作釦１９は、実施の例では、水遊び玩具の側面に対向した位置に設けられている。該両釦を該水遊び玩具で遊戯し、主対象となる自ら水遊び玩具を使用する生後１８ヶ月児〜３６ヶ月児の手掌の大きさは、各指が離れるように最も手掌を開いた状態における（人指し指の先中央から親指の先中央までの距離）は、６５mm〜９５mmの範囲となっている。片手で操作させることから、吐水釦１８と動作釦１９の頂点間の距離が５０mm〜９０mmの範囲であることが望ましい。また頂点間の距離が５０mmより小さい場合では、手掌全体を使用した操作ではなく、指先を中心とした操作となり難易度が高くなる。さらに頂点間の距離が９０mmより大きい場合では、乳幼児は、片手で水遊び玩具を把持し閉じる動作を行う事ができなくなるからである。
【００２７】
また、吐水釦１８と、動作釦１９の動作量（ストローク）については、３mm〜１０mmの範囲であることが望ましい。これは、動作量が３mmより小さい場合では、乳幼児は、手掌全体で使用した操作した実感が無いために、繰り返して操作を促す事ができなくことがあり、また動作量が１０mmより大きい場合では、乳幼児が手掌を閉じる方向に操作するに当たって、変位した状態を維持しつつ釦を変形することができなくなるからである。
【００２８】
さらに、吐水釦１８と動作釦１９を押圧し、動作させる力は、ポンプ部を動作させる為の力と、第一動作部を動作させる為の力が異なるが、水遊び玩具内に設けられている釦を元の位置に復帰させるバネの力によって調整されており、吐水釦１８と動作釦１９を押圧する力は、ほぼ同じになるように構成されている。押圧する力をほぼ同じにする事によって吐水動作及び第一動作部の動作は、ほぼ同時に行われるようになる。また、吐水釦１８と、動作釦１９の押圧する力が異なるように設けた場合では、例えば、最初に動作釦１９が押圧され、水遊び玩具の動作を行い、その後、吐水釦１８が押圧され、水遊び玩具から吐水するように設けることによって、二段階で動作を行うこともでき、異なる認識を促すこともできる。
【００２９】
図６は、本発明の第一実施例である水遊び玩具の使用例を示す斜視図である。水遊び玩具をお風呂などの水面に浮かべた状態で、本体側部に対向させて設けられた吐水釦１８と動作釦１９のバランスを取りながらそれぞれ押圧すると、吐水釦１８の操作によって、ポンプ部が動作を行い吐水口１６から、水が吐水される。この時、吃水線に各釦１８，１９が配置されているため、水面に浮かぶ水遊び玩具の釦に上手く手を配置する事を練習することができる。また、動作釦１９の操作によって、水遊び玩具の親鯨１０の目が左右に揺動するようになっている。このことにより、乳幼児の興味を引くと共に、該操作を行って遊べる事によって、指先や手の操作機能の発達を促すことが可能である。なお、遊び終わった後に水遊び玩具を収納する際には、各注水口１７から水抜きを行って衛生的に保管する事ができる。
【００３０】
次に、第一動作部と第二動作部を備え、水遊び玩具の動作を増やすことによって、先の実施の例よりも、更に乳幼児の興味を引く事のできる第二実施例を示す。まず、吐水釦１８を押圧した際に、吐水動作の他に別の動作を同時に行う例の説明を行う。玩具内の外形については、図１に示す上述した実施の例と同様であるが、親鯨１０の上方、即ち親鯨背中面に設けられている子鯨１１が、第一動作部として垂直方向への滑動可能に設けられている。該子鯨１１の背中面には、吐水口１６が設けられている。水遊び玩具の側面部に設けられた吐水釦１８と動作釦１９をそれぞれ押圧すると、吐水釦１８の操作によって、吐水口１６から、水が吐水されと共に、この吐水釦１８の操作によって水遊び玩具の親鯨１０の目が左右に揺動するように設けられている。また、動作釦１９の操作によって、吐水口１６が設けられた子鯨１１が垂直方向へ移動するようになっている。
【００３１】
図７は、本発明の第二実施例である水遊び玩具の分解斜視図面である。図８は、本発明の一実施例である水遊び玩具の上面から見た断面図であり、図９は、水遊び玩具の前方からの断面図である。図１０は、水遊び玩具の第一動作部１３の動作にあたる子鯨１１の移動の動きを示した図である。第二動作部にあたる目玉の動きを示す図は、図３と左右反転である。
【００３２】
この水遊び玩具には、係合溝１４・注水口１７・吐水釦１８・動作釦１９・ポンプ部・第一動作部・第二動作部が設けられている。係合溝１４・注水口１７・吐水釦１８・動作釦１９・ポンプ部は、先に示した実施の例とほぼ同様であるが、図７・図８に示すように吐水釦１８に第二動作部の目玉板ヒンジ２６が係合されている。
【００３３】
図９及び図１０を用いて第一動作部の説明を行う。第一動作部は、子鯨移動片２１・子鯨復帰バネ２２・動作部用復帰バネ２３・子鯨１１によって構成され、第一動作部の動作として、子鯨１１が垂直方向へ移動するようになっている。子鯨移動片２１は、子鯨１１側と、動作釦１９側にそれぞれ設けられ、子鯨移動片２１は、それぞれテーパー加工されており、該テーパー面同士をあわせるように直交して配設されている。動作釦１９側の子鯨移動片２１が水平に滑動することにより、子鯨１１側の子鯨移動片２１が垂直方向に滑動するように設けられ、その動作は、直交方向へ変化するようになっている。動作釦１９は、該動作釦１９側の子鯨移動片２１に接続され、動作釦１９を押圧することにより、動作釦１９側の子鯨移動片２１が左右方向に滑動するように設けられている。
【００３４】
また、子鯨１１も同様に、子鯨１１側の子鯨移動片２１に接続され、子鯨移動片２１が上下方向に移動するに伴って、子鯨１１も垂直方向に上下に滑動するように設けられている。また、子鯨１１側の移動片には、ポンプ２０と、吐水口１６を接続する、穴が設けられており、子鯨１１の移動が行われても連通するよう構成されている。そして、動作釦１９の操作を終了すると、子鯨復帰バネ２２及び動作用復帰バネ２３によって、子鯨１１が下方に移動すると共に、操作釦１９が待機状態に戻る事となる。
【００３５】
図８を用いて第二動作部の説明を行う。尚動作例は、図示しない。第二動作部は、目玉板２２・目玉板ヒンジ２６・ポンプ部用復帰バネ・吐水釦１８で構成され、先に示した実施の例で、動作釦１９に関節状に係合させていた目玉板ヒンジ２６を吐水釦１８に係合し、第一動作部の動作を吐水釦１８の動きによって行わせるものである。
【００３６】
第二動作部の吐水釦１８を押圧時の動作の説明を行う。吐水釦１８が押圧されると、吐水釦１８の内面に設けられて関節状に目玉板ヒンジ２６と係合された凸部が、目玉板ヒンジ２６一端を押圧するようになっている。該目玉板ヒンジ２６の一端が押圧されると、水遊び玩具に軸止されている軸を中心に、該目玉板ヒンジ２６が回転を行う。該目玉板ヒンジ２６が回転すると、該目玉板ヒンジ２６の他端に関節状に係合している目玉板２２が引っ張られ、目玉板２２が、係合溝１４内を滑動するようになっている。このように動作することによって、水遊び玩具の親鯨１０の目が左右どちらかに移動するようになる。また、該ポンプ部用復帰バネの作用によって、吐水釦１８と共に再び親鯨１０の目が復帰位置へと戻るように設けられている。また、ポンプ２０内に貯水されていた水を吐水口１６に送り、ポンプ部用復帰バネの力によって、吐水釦１８が復帰する際に、ポンプ２０内に水を貯水する為に、給水口１５から、水を給水するようになっている。吐水釦１８を押圧すると吐水及び、第二の動作を行うように設けられている。
【００３７】
図１１は、本発明の第二実施例である水遊び玩具の使用例を示す斜視図である。水遊び玩具をお風呂などの水面に浮かべた状態で、水遊び玩具の側面部に設けられ吃水線上に配置された吐水釦１８と動作釦１９のバランスを取りながらそれぞれ押圧すると、吐水釦１８の操作によって、ポンプ部が動作を行い、吐水口１６から、水が吐水されと共に、水遊び玩具の親鯨１０の目が左右に揺動するように設けられている。また、同時に動作釦１９の操作によって、吐水口１６が設けられた子鯨１１が垂直方向へ移動するようになっており、先に示した実施の例よりも乳幼児の興味を強く引くと共に、該操作を行って遊べる事によって、指先や手の操作機能の発達を促すことが可能である。
【００３８】
参考までに、乳幼児の発育について説明する。１〜３歳の乳幼児の発育は、歩く・走るが自由に出来るようになり、指先の動きも発達して積み木を重ねたりコップを持って水を飲んだりスプーンで食事をする事も１人で出来るようになる。また、道具や品物の使い方を理解していくつか組み合わせて使えるようになり、新しい物に興味をもったりさわって観察したりするようになる。さらに、繰り返し操作をしながら道具に親しみように発達し、お風呂では、水遊びをしたり石鹸で遊んだり自分の身体を洗いながら自分の身体に興味をもつようになる。
【００３９】
この水遊び玩具は、丁度生後６ヶ月程度〜３歳程度の乳幼児の発育にあわせて、お風呂場などで、早い段階では母親等の介助者と共に遊び、その後、１才を過ぎて自ら遊ぶようになり始めると、玩具を浮かべることによって、物が浮くことを知る事ができ、また、水遊び玩具の吐水釦１８・動作釦１９を押圧することによって、吐水口１６から水が吐水する動きと、玩具自体の様々な動作を行うようにすることによって、大変乳幼児の興味を引く事ができると共に、乳幼児が水遊び玩具を用いて、繰り返し遊ぶことによって、指や手を操作機能の発達を中心として様々な発達を促すことが出来る玩具である。
【００４０】
以上説明したように構成することにより乳幼児や幼児の興味を引く事で、操作を促すし、指先や手の操作機能の発達を促す事が出来る水遊び玩具である。また、好ましい実施例を挙げて本発明を説明したが、本発明はその実施例に限定されるものではなく、特許請求の範囲に記載した技術的範囲内で種々に改変できる。
【００４１】
応用した実施の例として、釦部は、吐水釦と動作釦とを各々１個とする場合に限らず、第二動作釦を玩具本体に付加し、玩具本体の尾ひれなどを動作させるようにすることもできる。
【００４２】
また、船の形は両舷に水車を設けた外輪船形状として、水車形に釦部を突出させ、キャビンや放水砲を甲板に設け、見張台キャビンを上下させつつ放水砲から吐水することもできる。
その他、本実施の各形態では、機構的に釦に伴う吐水及び動作を発現するよう構成していたが、水遊び玩具を中空に形成し、釦として機能する突出部を対向面に設け、中空体中に含ませた水を吐出すると共に、目やヒレ等の身体の一部が動くよう構成しても良く、更には、電気的に吐水や動作を発現するよう構成して、釦部を適切な突出量とするよう構成しても良い。
【００４３】
また、乳幼児の発達を促す玩具としてだけではなく、介護等におけるリハビリ用として、手の機能を回復する道具として使用することもできる。
【図面の簡単な説明】
【００４４】
【図１】本発明の一実施例である水遊び玩具の外観を示す図である。
【図２】本発明の一実施例である水遊び玩具の上面から見た断面図である。
【図３】本発明の一実施例である水遊び玩具の第一動作部の動きを示す図である。
【図４】本発明の一実施例である水遊び玩具の横から見た断面図であり、水遊び玩具内に水を注水した状態を示した図である。
【図５】本発明の一実施例である水遊び玩具の前方からの断面図であり、玩具内の吐水における水の動きを示す図である。
【図６】本発明の一実施例である水遊び玩具を使用した状態を示す図である。
【図７】本発明の一実施例である別の水遊び玩具を分解した分解斜視図面である。
【図８】本発明の一実施例である別の水遊び玩具の上面から見た断面図である。
【図９】本発明の一実施例である別の水遊び玩具の前方から見た断面図である。
【図１０】本発明の一実施例である別の水遊び玩具の第一動作部の動作を示す図である。
【図１１】本発明の一実施例である別の水遊び玩具を使用した状態を示す図である。
【符号の説明】
【００４５】
１      水遊び玩具
１０    親鯨
１１    子鯨
１４    係合溝
１５    給水口
１６    吐水口
１７    注水口
１７ａ  注水口
１７ｂ  注水口
１８    吐水釦
１９    動作釦
２０    ポンプ
２１    子鯨移動片
２２    目玉板
２２ａ  目玉
２３    動作部用復帰バネ
２６    目玉板ヒンジ
【図１】
2006006374.tif 000003
【図２】
2006006374.tif 000004
【図３】
2006006374.tif 000005
【図４】
2006006374.tif 000006
【図５】
2006006374.tif 000007
【図６】
2006006374.tif 000008
【図７】
2006006374.tif 000009
【図８】
2006006374.tif 000010
【図９】
2006006374.tif 000011
【図１０】
2006006374.tif 000012
【図１１】
2006006374.tif 000013